(57)【要約】【課題】布基礎の強度に影響のある厚さ方向へのコンクリートをはつる部分を浅くして作業能率の向上と共に布基礎の強度の低下を防止させることができる増設布基礎工法を提供することである。【解決手段】既存建築物の布基礎１に隣接して新たな建築物の布基礎２を増設する増設布基礎工法において、前記既存建築物の布基礎１の外側面に張り合わせて新たな広巾布基礎１２を構築し、更にこの広巾布基礎１２を１辺とするロの字型の布基礎２を構築することを特徴とする増設布基礎工法。【選択図】　　　図１
2004060253.tif 000002
【特許請求の範囲】
【請求項１】
既存建築物の布基礎に隣接して新たな建築物の布基礎を増設する増設布基礎工法において、前記既存建築物の布基礎の外側面に張り合わせて新たな広巾布基礎を構築し、更にこの広巾布基礎を１辺とするロの字型の布基礎を構築することを特徴とする増設布基礎工法。
【請求項２】
前記既存建築物の布基礎の外側面に張り合わせて新たな広巾布基礎を構築する工法が、既存建築物の布基礎のベース部分のコンクリートを立ち上がり部の外側面とほぼ同一面となる程度まではつると共に、立ち上り部の外側面を立ち上がり鉄筋が露出しない程度にはつって表面に凹凸面を形成した後、この凹凸面の外側に新たな立ち上り部の鉄筋の配筋と型枠を設置してから、該凹凸面と型枠の間にコンクリートモルタルを打設して形成する工法であることを特徴とする請求項１記載の増設布基礎工法。
【請求項３】
前記凹凸面に連結部材を打ち込んだことを特徴とする請求項２記載の増設布基礎工法。
【発明の詳細な説明】
【０００１】
【発明の属する技術分野】
本発明は、建築物の増設布基礎工法に係り、詳しくは、ロの字型の増設布基礎を設置する増設布基礎工法に関するものである。
【０００２】
【従来の技術】
既存建築物に新たな建築物を増設する増設工事の際、図９に示すように既存建築物の既存布基礎１と新たに増設する平面コの字型の増設用布基礎３２の連結部３３において鉄筋同士を連結させる必要がある。この場合、既存布基礎１の前記連結部３３における鉄筋３４を接続に必要な長さ分だけ露出させるために、図１０における既存布基礎１の斜線部分のコンクリート３５を破壊切除し、新たに設置する増設用布基礎３２の鉄筋３６と既存布基礎１の鉄筋３４とを図外の継手筋等により接続する方法や、図１１に示すように既存布基礎１にホールインアンカー３７等を打ち込み、背筋３８を組んで鉄筋３６と接続する方法が用いられている。
【０００３】
【発明が解決しようとする課題】
上記の通り、継手筋等により既存布基礎１と増設用布基礎３２の鉄筋同士を接続する方法は、既存布基礎１のコンクリート３５を立ち上り部の鉄筋３４が露出するまで深く破壊切除しなければならないため、施工が困難で非常に手間がかかり、基礎梁に必要な前記鉄筋３４を傷つけたり既存布基礎１のコンクリートや上部の構造物に悪影響を及ぼす可能性があった。
【０００４】
また、上記背筋３８を組む方法は、既存布基礎１と増設用布基礎３２の鉄筋同士が連結されていないために構造的に必要な強度が得られず、建築物の設計等のプランに制約が生じるということが問題であった。
【０００５】
本発明は、上記課題に鑑みてなされたものであって、本発明の目的は、布基礎の強度に影響のある厚さ方向へのコンクリートをはつる部分を浅くして作業能率の向上と共に布基礎の強度の低下を防止させることができる増設布基礎工法を提供することである。
【０００６】
【課題を解決するための手段】
上記目的を達成するために、請求項１記載の増設布基礎工法は、既存建築物の布基礎に隣接して新たな建築物の布基礎を増設する増設布基礎工法において、前記既存建築物の布基礎の外側面に張り合わせて新たな広巾布基礎を構築し、更にこの広巾布基礎を１辺とするロの字型の布基礎を構築することを特徴としている。
【０００７】
請求項２記載の増設布基礎工法は、前記既存建築物の布基礎の外側面に張り合わせて新たな広巾布基礎を構築する工法が、既存建築物の布基礎のベース部分のコンクリートを立ち上がり部の外側面とほぼ同一面となる程度まではつると共に、立ち上り部の外側面を立ち上がり鉄筋が露出しない程度にはつって表面に凹凸面を形成した後、この凹凸面の外側に新たな立ち上り部の鉄筋の配筋と型枠を設置してから、該凹凸面と型枠の間にコンクリートモルタルを打設して形成する工法であることを特徴としている。
【０００８】
請求項３記載の増設布基礎工法は、前記凹凸面に連結部材を打ち込んだことを特徴としている。
【０００９】
【発明の実施の形態】
以下、本発明の実施の形態に係る増設布基礎工法について、図面に基づいて説明する。図１に示すように、この増設布基礎工法は、既存布基礎１に沿ってロの字型の増設布基礎２を構築する工法である。前記既存布基礎１は、図２に示すように立ち上り部３とベース部４によって構成され、これらの内部には立ち上り鉄筋５、上端筋６、腹筋７、下端筋８及びベース鉄筋９等の鉄筋１０がコンクリート１１内に埋設されている。このような既存布基礎１に沿って、増設布基礎２の広巾布基礎１２を構築する工法について説明する。
【００１０】
まず、増設布基礎２に沿う前記既存布基礎１の外側面の準備作業を行う。この準備作業は図３に示すように、上部に既存建築物１３が設置されている前記既存布基礎１の外側面の前記立ち上り部３について、立ち上り鉄筋５が露出しない程度に外側面を浅くはつり落として凹凸面１５を形成し、その後目荒しをする。これは、既存布基礎１と新たに張り合わせて作る広巾布基礎１２とのコンクリートの接合をよくするためのものである。次に、前記ベース部４のコンクリートを前記立ち上り部３の外側面とほぼ同一平面となる程度まではつり落として、下端筋８及びベース鉄筋９を露出させる。斜線１４はこのようにしてはつり落とした部分のコンクリートを示す。そして、既存布基礎１のはつった部分の地盤や増設布基礎２を設置する他の増設部の根伐り、底均し、遣方、地業等の作業を行う。この際、露出した既存布基礎１の下端筋８及びベース鉄筋９を傷つけないように、地業に当たってはタンピングランマーで転圧できない時は、角材等を用いて転圧する。
【００１１】
次に、図４に示すように、前記立ち上り部３の凹凸面１５に連結部材１６を所定の等間隔で打ち込む。この連結部材１６としてはホールインアンカーやステンレス等からなる寸切ボルトなどを使用する。そして、図３に示すように広巾布基礎１２の立ち上り鉄筋１７を、はつり出した既存布基礎１のベース鉄筋９に載せる形で設置する。
【００１２】
このようにして、既存布基礎１の外側面に張り合わせて新たな広巾布基礎１２の配筋が施されてから、増設布基礎２の他の部分の配筋を図５に示すようにして行う。すなわち、全体としてロの字型を形成する増設布基礎２の既存布基礎１との張り合わせ広巾布基礎１２を除いた他の部分の配筋を行い、その両側に図６に示すように型枠２１ｂを設置してゆく。このとき、広巾布基礎１２の凹凸面１５と対面する側の型枠２１ａは、図７の（ａ）及び（ｂ）に示すように、前記連結部材１６に載せる形で設置され、連結部材１６にセットされたナット２２、ワッシャー２３、ナット２４及び仮止め部材２５によって間隔を保持できるように支持する。これらの準備が整ってから、図８に示すように内部に配筋がなされている型枠２１の中にコンクリートモルタルを打設して増設布基礎２を形成する。
【００１３】
以上説明したように、本実施形態の増設布基礎工法によれば、既存建築物の布基礎１の外側面に張合わせるように設置された広巾布基礎１２を１辺とするロの字型の増設布基礎２が既存布基礎１に対して並列に設置されるので、新たな布基礎を設置したことによる布基礎全体の強度の低下を防止できるという利点がある。また、既存布基礎１の立ち上り部３の立ち上り鉄筋５を露出させる必要がないので作業能率が向上する共に、増設工事により既存布基礎１の立ち上り鉄筋５を傷つける恐れがなくなり、基礎梁の強度が弱まるのを防止できる。
【００１４】
なお、既存布基礎１の外側面のベース部４に鉄筋が埋設されていない既存布基礎１の場合、ベース部４の鉄筋をはつり出したり新たに設置する鉄筋と連結したりする必要がないので、単にベース部４の突出部を立ち上り部３の外側面とほぼ同一面となる程度まではつり落とすだけでよく、この場合、作業能率は一層向上する。
【００１５】
【発明の効果】
請求項１記載の増設布基礎工法によれば、既存布基礎に対して広巾布基礎を１辺とするロの字型の増設布基礎を構築することができるので、増設布基礎を設置した際に基礎全体の強度が低下するのを防止することができる。
【００１６】
請求項２記載の増設布基礎工法によれば、既存布基礎の立ち上り鉄筋を露出させる必要がないので、作業能率を向上させることができると共に、基礎梁に必要な鉄筋を傷つけることなく増設布基礎を設置できる。
【００１７】
請求項３記載の増設布基礎工法によれば、表面に凹凸を形成した既存布基礎の立ち上り部に連結部材を打ち込むので、布基礎の強度の低下を防止できると共に、広巾布基礎を構築するための型枠の設置を容易に行うことができる。
【図面の簡単な説明】
【図１】本発明の実施の形態に係る増設布基礎を説明するための図である。
【図２】既存布基礎及び既存布基礎に埋設されている鉄筋を説明するための図である。
【図３】既存布基礎の外側面のはつり落とし作業を説明するための図である。
【図４】既存布基礎に連結部材を打ち込む作業を説明するための図である。
【図５】本発明の実施の形態に係る増設布基礎工法における鉄筋の配置を示した図である。
【図６】コンクリートモルタルを流し込むための型枠を説明するための図である。
【図７】広巾布基礎を設置するために使用する型枠の仮止めを示す図である。
【図８】コンクリートモルタルを打設するための型枠を示した図である。
【図９】従来のコの字型の増設布基礎の設置について説明するための図である。
【図１０】既存布基礎と増設布基礎の鉄筋同士を連結する作業を説明するための図である。
【図１１】ホールインアンカーを用いて背筋を組んで増設布基礎を設置する作業を説明するための図である。
【符号の説明】
１　既存布基礎
２　増設布基礎
３　立ち上り部
４　ベース部
５　立ち上り鉄筋
９　ベース鉄筋
１２　広巾布基礎
１５　凹凸面
１６　連結部材
【図１】
2004060253.tif 000003
【図２】
2004060253.tif 000004
【図３】
2004060253.tif 000005
【図４】
2004060253.tif 000006
【図５】
2004060253.tif 000007
【図６】
2004060253.tif 000008
【図７】
2004060253.tif 000009
【図８】
2004060253.tif 000010
【図９】
2004060253.tif 000011
【図１０】
2004060253.tif 000012
【図１１】
2004060253.tif 000013